(57)【要約】【課題】種々の胴体形状および動物胴体のサイズに適合可能でありながら、それにより動物の皮膚または毛皮を損なうことがないような保護衣服の各布地を接合する代替技術を提供する。【解決手段】柔軟性がある繊維織物、生地または編物により形成され、個々の布地(2)または縁領域(3)(4)が同様の形態で相互に堅固でありながら解放可能に接合されている動物用の保護衣服である。織物、生地または編物の相互接合布地(2)または縁領域(3)(4)が重ね合わせて配置され、かつ、２つの部材からなるスナップ要素(1)により相互に接合される。中間にスナップ要素(1)の両方の部材(5)(6)の間に存在する、相互に重ね合わせられた相互接合布地(2)(8)(15)または縁領域(3)(4)が、スナップ要素(1)の相互留め部材(5)(6)の領域においてスナップ要素(1)により破損されないように接合されている。【選択図】  図２
2009545297.tif 000002
【特許請求の範囲】
【請求項１】
柔軟性がある繊維織物、生地または編物により形成され、個々の布地または縁領域が同様の形態で相互に堅固でありながら解放可能に接合されている動物用の保護衣服であって、
前記織物、前記生地または前記編物の相互に接合される布地(2)または縁領域(3)(4)が重ね合わせて配置され、かつ、２つの部材からなるスナップ要素(1)により相互に接合され、中間に前記スナップ要素(1)の両方の部材(5)(6)の間に存在する、相互に重ね合わせられた前記相互に接合される布地(2)(8)(15)または前記縁領域(3)(4)が、前記スナップ要素(1)の相互留め部材(5)(6)の領域において前記スナップ要素(1)により破損されないように接合されていることを特徴とする保護衣服。
【請求項２】
請求項１記載の保護衣服において、
前記織物、前記生地または前記編物の前記相互に接合される布地(2)(8)(15)または前記縁領域(3)(4)が、十分な重ね合わせおよび前記保護衣服の継ぎ足しを保証するように相互に合わせて裁断されていることを特徴とする保護衣服。
【請求項３】
請求項１および／または２記載の保護衣服において、
動物の胴体に巻きつけられる基礎布地(8)が、スナップ要素(1)を介して２つの相互に付けられている縁領域(3)(4)に一緒に保持されていることを特徴とする保護衣服。
【請求項４】
請求項３記載の保護衣服において、
前記基礎布地(8)に、脚(13)、尻尾(14)またはペニスなどを通すためのスリット(9)または開口(10)(11)が開設されていることを特徴とする保護衣服。
【請求項５】
請求項４記載の保護衣服において、
動物(7)の前記脚(13)および／または前記尻尾(14)のための鞘状布地(15)が前記開口(10)(11)の周囲に取り付け可能とされ、前記基礎布地(8)の前記開口(10)(11)の境界縁領域にスナップ要素(1)により取り付けられることを特徴とする保護衣服。
【請求項６】
請求項５記載の保護衣服において、
前記鞘状布地(15)が平坦な布地から作られ、その対向する縁領域がスナップ要素(1)により相互に接合されていることを特徴とする保護衣服。
【請求項７】
請求項５記載の保護衣服において、
前記鞘状布地(15)がそれ自体一体的に作成され、前記基礎布地(8)の前記開口(10)(11)の境界縁領域にスナップ要素(1)により取り付けられていることを特徴とする保護衣服。
【請求項８】
請求項５〜７記載の保護衣服において、
前記鞘状布地(8)が一般的に必要な長さよりもかなり長くされ、これにより一定の動物に必要な長さにわたって合わせ部分が切り取られていることを特徴とする保護衣服。
【請求項９】
請求項５〜８記載の保護衣服において、
前記鞘状布地(15)が円錐筒状に形成され、その両端部の直径が異なっていることを特徴とする保護衣服。
【請求項１０】
請求項５〜８記載の保護衣服において、
前記鞘状布地(15)が円筒状に形成されていることを特徴とする保護衣服。
【請求項１１】
請求項１〜１０のうち１つに記載の保護衣服において、
前記布地(2)(8)(15)の全部がすべての方向に柔軟性がある繊維織物、生地または編物により形成されていることを特徴とする保護衣服。
【請求項１２】
請求項１〜１１のうち１つに記載の保護衣服において、
前記布地(2)(8)(15)の全部または一部が織目無しの、すべての方向に柔軟性がある繊維織物、生地または編物により形成されていることを特徴とする保護衣服。
【請求項１３】
請求項１および請求項２〜１２のうち１つに記載の保護衣服において、
前記スナップ要素(1)が合成樹脂により形成されていることを特徴とする保護衣服。
【請求項１４】
請求項１３記載の保護衣服において、
前記スナップ要素(1)が柔軟性の合成樹脂により形成されていることを特徴とする保護衣服。
【請求項１５】
請求項１，１３および１４記載の保護衣服において、
前記スナップ要素(1)の皿状の内面(17)(18)が接着剤で被覆加工され、あるいは、接着フィルムが取り付けられていることを特徴とする保護衣服。
【請求項１６】
請求項１５記載の保護衣服において、
前記スナップ要素(1)の皿状の内面(17)(18)に両面接着フィルムが取り付けられていることを特徴とする保護衣服。
【発明の詳細な説明】
【技術分野】
【０００１】
本発明は柔軟性がある繊維織物、生地または編物により形成され、個々の布地または縁領域が同様の形態で相互に堅固でありながら解放可能に接合されている動物用の保護衣服に関する。
【背景技術】
【０００２】
従来の保護衣服によれば、錠（特許文献１もしくは２参照）、紐（特許文献３もしくは４参照）または保護衣服を貫通するリベット（特許文献５参照）によりいくつかの布地が相互に接合されている。これにより、さまざまなサイズおよびタイプの保護衣服が実現されている。この方式によれば、個別の適合が不可能である。
【先行技術文献】
【特許文献】
【０００３】
【特許文献１】米国特許公報  ＵＳ２００４／００３１４４８Ａ１
【特許文献２】米国特許公報  ＵＳ６，２３４，１１７Ｂ１
【特許文献３】米国特許公報  ＵＳ６，８８０，２８９Ｂ２
【特許文献４】独国特許公報  ＤＥ２０３１１２２０Ｕ１
【特許文献５】米国特許公報  ＵＳ３，１４１，４４３Ａ
【発明の概要】
【発明が解決しようとする課題】
【０００４】
本発明は、種々の胴体形状および動物胴体のサイズに適合可能でありながら、それにより動物の皮膚または毛皮を損なうことがないような保護衣服の各布地を接合する代替技術を提供することを課題とする。
【課題を解決するための手段】
【０００５】
本発明の保護衣服は、織物、生地または編物の相互に接続される布地または縁領域が重ね合わせて配置され、かつ、２つの部材からなるスナップ要素により相互に接合され、中間にスナップ要素の両方の部材の間に存在する、相互に重ね合わせられた相互に接合される布地または前記縁領域が、スナップ要素の相互留め部材の領域においてスナップ要素により破損されないように接合されていることを特徴とする。
【０００６】
これにより、相互に接合される布地または縁領域が任意の位置または最適な位置で接合されうる。また、布地にいかなる損傷をも与えることなく、相互に接合される布地または縁領域が、スナップ要素の相互留め部材により共同かつ破損されることなく形成される。スナップ要素が取り除かれた後、布地および縁領域は亀裂のない平坦な元の状態に復帰する。
【０００７】
スナップは相互に接合される布地または縁領域の内側に通常の方法で縫い付けられまたは取り付けられ、相互に直接的に連結する。本発明の一態様によれば、スナップ要素の両方の部材は、布地または縁領域の外側上面から近づけられてその布地を相互に収容する。これにより、スナップ要素の部材は、通常のように布地に固定されずに済む。スナップ要素の直接領域において、織物、生地または編物の切断または破損を伴わずに布地または縁領域の伸縮性は十分に抑制される。スナップ要素による接合は、部材によるその接合が自発的に解除されない点で優れている。
【０００８】
さらに、織物、生地または編物の相互に接続される布地または縁領域が、十分な重ね合わせおよび保護衣服の継ぎ足しを保証するように相互に合わせて裁断されていることが提案される。これにより、動物のあらゆる胴体部分または四肢のそれぞれであろうとも服が着せられるように個別の適合が可能となる。
【０００９】
動物胴体に服を着せるための本発明の他の態様において、動物の胴体に巻きつけられる基礎布地が、スナップ要素を介して２つの相互に付けられている縁領域に一緒に保持されている。
【００１０】
ある動物の種類およびサイズに応じた保護衣服として、基礎布地に、脚、尻尾またはペニスなどを通すためのスリットまたは開口が開設されているようにあらかじめ仕立てられていてもよい。この仕立てにより付加的な通過が実現される。
【００１１】
好適な態様において、動物の前記脚および／または尻尾のための鞘状布地が開口の周囲に取り付け可能とされ、基礎布地の開口の境界縁領域にスナップ要素により取り付けられる。これにより付加的な布地が基礎布地に取り付けられうる。
【００１２】
変形態様において、鞘状布地が平坦な布地から作られ、その対向する縁領域がスナップ要素により相互に接合されている。この布地は平面要素と同様に作成され、突出している四肢を包むためにスナップ要素によって接続される鞘状布地が構成される。
【００１３】
他の態様において、鞘状布地がそれ自体一体的に作成され、基礎布地の開口の境界縁領域にスナップ要素により取り付けられている。それは単に開口の境界縁領域に取り付けられるだけなので、さらなるスナップ要素が用いられる。
【００１４】
この関連において、鞘状布地が一般的に必要な長さよりもかなり長くされ、これにより一定の動物に必要な長さにわたって合わせ部分が切り取られている。これにより、鞘状部分の長さをそのままにしておきながら、たとえば動物の脚部分において、当該部分をボタン留め或いはまとわせることが可能となり、その結果として脚部分が保護衣服により覆われうる。
【００１５】
さらに、鞘状布地が円錐筒状に形成され、その両端部の直径が異なっていてもよい。これは、特にさまざまな寸法の四肢について有益である。特定の動物に適合するように、特定の中間部分が膨らんだように形成されていてもよい。
【００１６】
本発明において、鞘状布地が円筒状に形成されていてもよい織物、生地または編物の柔軟性により、動物の四肢の直径のばらつきへの対応が可能となる。
【００１７】
布地の全部がすべての方向に柔軟性がある繊維織物、生地または編物により形成されていてもよい。これにより動物のすべての表面への適合が保証される。また、圧迫箇所を生じさせずに済む。巻かれることによって厚みを増す傷用の包帯が、ソフトな力でずれないように押し付けられながら、この手法にしたがって支障なく取り外される。本発明の技術または手法にしたがって、柔軟性のある織物、生地または編物に、傷用の包帯、皮膜またはその類が接合され、ずれのないように維持されうる。
【００１８】
保護衣服において、布地の全部または一部が織目無しの、すべての方向に柔軟性がある繊維織物、生地または編物により形成されている。布地の縁領域の任意箇所が裁断され、あるいは、すべての布地の所望の箇所に開口が開設されうる。柔軟性のある繊維の織物、生地または編物により構成されることが、本発明の保護衣服の形成にとって重要である。
【００１９】
さらに、スナップ要素が合成樹脂により形成されている。金属製のスナップ要素が考えられるが、合成樹脂で形成されたほうが動物にとってその体表面に優しいことが判明した。そこで、スナップ要素が柔軟性の合成樹脂により形成されている。接合の直接的な部分は相応に曲がりやすく、これにより動物の体表面が覆われうる。
【００２０】
さらに他の態様において、スナップ要素の皿状の内面が接着剤で被覆加工され、あるいは、接着フィルムが取り付けられている。スナップ要素の部材はたとえば最初の結合によってその位置にとどまっている。これは、たとえば絶え間なく繰り返される傷を覆うなど、複数回にわたって取り外しおよび再度の取り付けが必要な場合には有意義である。このため、スナップ要素の皿状の内面に両面接着フィルムが取り付けられることが考えられる。スナップ要素は複数回にわたる使用のための最初の合わせ部分に直接的に設けられてもよい。貼り付け箇所を覆うフォイルが固定されてもよく、それは最初の合わせ部分−貼り付けられることが望ましい−から剥がされうる。
【００２１】
本発明の特徴および詳細は次に説明する図面を用いて説明される。
【図面の簡単な説明】
【００２２】
【図１】保護衣服が取り付けられた犬の側視図である。
【図２】スナップ要素の２つの部材を接合させるには短い保護衣服の部分の縁領域の接合状態の説明図である。
【図３】縁領域が接合された犬の後側を後ろから見た図である。
【図４】部分の２つの縁領域の接合状態の説明図である。
【図５】より多くの接合が可能な保護衣服を付けた犬を後から見た図である。
【図６】保護衣服を付けた犬の側視図である。
【図７】犬を上から見た図である。
【図８】犬を下から見た図である。
【図９】脚用の保護衣服を付けた犬の説明図である。
【図１０】馬の脚に取り付けられる靴下状部分などの大型動物の脚用の保護衣服の説明図である。
【図１１】図１０と同様の馬の部分のパネルの説明図である。
【図１２】馬の掛け毛布としての基礎部分の外観図である。
【図１３】馬のふくらはぎ領域のための靴下状部分の外観図である。
【発明を実施するための形態】
【００２３】
本発明の動物用の保護衣服により、特に手術後の保護またはその他の胴体部分に必要な衣服がつくられる。この保護衣服は動物のすべてのタイプおよびサイズに適用可能であり、解剖学の実在の配慮に利用するのは自然である。以下の説明において犬カバーが取り上げられる。同様にこの保護衣服は、猫、または、ラット、マウス、ウサギ、てんじくねずみ、フェレット、鳥、魚もしくはその類の小動物、または、馬もしくはその類の大型動物に適用されうる。
【００２４】
この動物用の保護衣服は柔軟性のある繊維の織物、生地または編物により構成され、各布地または縁領域が相互に解放可能に接合される。本発明の一実施形態によれば、織物、生地または編物の相互に接合される布地２または縁領域３，４は相互に重ね合わさるように配置され、２つの部材からなるスナップ要素１によって相互に接合されている。布地の外側に細いリブおよび胴体側の広いリブが配置されている場合、胴体側から湿気が吸い上げられ、外側で湿気が大気中に放出されうる。スナップ要素１の両方の部材５，６の間に存在する、相互に接続かつ重ね合わせられる布地２または縁領域３，４は、スナップ要素１の相互にはめ込まれる部材５，６付近のスナップ要素１の領域において損傷なく形成される。
【００２５】
十分な重ね合わせおよびスナップ要素１の連結を保証するため、織物、生地または編物の相互に接続される布地２または縁領域３，４は相互に合わせて裁断されている。各布地は後述するように円筒状または鞘状に形成されうる。スナップ要素による接合は、動物胴体７の腹部分、背部分または動物胴体７の一方または両方の側部において実現されうる。
【００２６】
図１，６および７によれば、保護衣服は動物胴体７に巻きつけられる基礎布地８により構成され、２つのお互いに分けられた縁領域３，４がスナップ要素１により保持されている。脚１３、尻尾１４、ペニスまたはその他を通すため、基礎布地８にはスリット９または開口１０〜１２が切断または開設されている。
【００２７】
図１および５から明らかなように、動物の脚１３および尻尾１４のうち一方または両方のための鞘状布地１５が開口１０，１１に取り付け可能である。鞘状布地１５は基礎布地８の開口１０，１１の境界縁領域１６にスナップ要素１によって取り付けられる。たとえば、基礎布地８は平坦な布地により形成され、その縁領域３，４にはスナップ要素１により鞘状またはホース状の布地が取り付けられる。開口１０，１１に鞘状またはホース状の布地１５が接続され、スナップ要素１により接合される。このような構成は特に妊娠した動物に適用されうる。布地１５は基礎布地８のためのショーツを形成する、
鞘状布地１５は平坦な部分により構成されてもよく、その向かい合った縁領域がスナップ要素１により接合される。スナップ要素による接合により鞘状またはホース状の布地１５が形成される。
【００２８】
鞘状布地１５は一体的に形成され、当該布地１５は基礎布地８の開口１０，１１の境界縁領域にスナップ要素１により取り付けられる。特に、鞘状布地１５が通常必要な長さよりも十分に長くされることにより、動物に適当な長さに裁断される。
【００２９】
他の実施形態において鞘状布地１５は円錐筒状に形成され、両方の端部の直径が異なっている。そのほか、鞘状布地１５は円筒状に形成されることが考えられる。
【００３０】
特に効果のある保護衣服の応用は、すべての布地２，１５がすべての方向に柔軟性がある繊維の織物、生地または編物により形成されている。これにより、布地の任意の所望箇所に開口またはスリットが切断され、すべてのまたは一部の布地１，１５が、織目が無い、すべての方向に柔軟性がある繊維の織物、生地または編物により形成される。手で事後的に開口が裁断された場合、織目が無く、織物、生地または編物の安定性を損なわないので、布地に重要な損傷をもたらなさない。織物、生地または編物により、包帯素材のための保持および押し付けの一方、心電図器具の検査素子のための密着も実現される。これにより、包帯素材または検査素子と、織物、生地または編物とがスナップ要素により接合される。
【００３１】
スナップ要素１は全体的に合成樹脂により形成されている。これにより、胴体の汗によりさびが生じず、または、保護衣服における余分な硬い箇所とはならない。これに関連して、スナップ要素１が柔軟性の合成樹脂により形成されている場合には実用的である。布地２の縁領域３，４から２倍の位置がスナップ要素の両方の部材５，６の間により覆われかつ挟み込まれるが、このような接合は負荷耐性があり、金属製のものよりも柔軟性に優れた合わせ部分が実現される。このため、スナップ要素１の両方の部材５，６の部分における耐性は均一となる。
【００３２】
スナップ要素１が複数回にわたり取り外されかつ同じ箇所に再び取り付けられる場合、部材５および６は保護衣服の該当布地２，８の表面に取り付けられる。スナップ要素１はその皿状の内面１７および１８が接着剤で被覆加工され、あるいは、粘着性のフィルムが取り付けられている。接着フォイルは、接着面を覆う、剥がすことのできる保護フォイルを備えている両面接着フォイルであってもよい。これに関連して、スナップ要素１の部材５，６の一方または両方の部分に、力が加えられたときに接着剤を点滴する装置が取り付けられ、これにより一方または両方の部材５，６が適当な表面に接着される。接着箇所は胼胝位置、角質、蹄などに設定される。
【００３３】
図３に示されている形態によれば、動物胴体の背側で基礎布地８は相互に重ね合わせられる縁領域３，４においてスナップ要素１によって解放可能に接合されうる。
【００３４】
図４は、平坦な布地２から、重ね合わせおよびいくつかの適当なスナップ要素１を用いた接合によって、鞘状またはホース状の布地が形成されることを示している。
【００３５】
本発明によれば、耳当て、静脈当てまたは口籠などとして、他の平坦布地または鞘状布地が適用されうる。
【００３６】
図６〜図８の実施形態によれば、筒状の基礎布地８が周囲を取り囲んで一体的に形成されている。基礎布地８が平面要素として形成され、筒状に形作られ、２つのお互いに向かい合った縁領域３，４においてスナップ要素１を用いて接合されることが考えられる。向かい合って重ね合わせれる配置のための出会い箇所が動物胴体７の上側、下側または横側に現れるのは当然である。ある箇所に継ぎ目が必要とされ、このような適当な手法において伸縮性のある平らな継ぎ目が実現される。
【００３７】
犬の解剖学の制約下で保護衣服の通過を可能とするため、下側布地２１が上側布地２２よりも前側に位置するように基礎布地８の前布地２０が鋭角に裁断されている。
【００３８】
これに関して、犬の後ろ首を布切れで覆うため、ホース状の基礎布地８の上前側布地が上から見たときに実質的に三角形に延長されることが考えられる。
【００３９】
ホース状の基礎布地８が横後側の接続部分が横から見たときに実質的に三角のが抑制される。また、後脚１３の部分が狭くなり、これにより紐状になって食い込むことが防止される。
【００４０】
他の効果的な措置として、動物の足１３を通すための開口１０，１１が実質的に楕円形状に形成される。特別の実施形態として、動物の足１３を通すための開口１０，１１が実質的に楕円形状に形成され、これにより足１３の内側に構成される開口１０，１１の次の布地が直線状に伸びている。
【００４１】
解剖学上の条件に適用において、動物の前脚を通すための開口１０の相互間隔は、動物の後脚を通すための開口１１の相互間隔より小さい。
【００４２】
さらなる構築的な応用として、基礎布地８の下側に動物のオスのペニスを通すための楕円形または扁豆形状のスリット９が形成される。動物のオスの四肢を通すためのスリット９にボタン穴が設けられ、必要に応じて堅牢なスリット９が開設されうる。
【００４３】
犬について有意義なことは、基礎布地８の後端部分が少なくとも部分的に、延長された布切れによって閉じられる。
【００４４】
図９の実施形態によれば、動物の四肢のための保護衣服が実現されうる。犬の四肢を覆う鞘状布地１９が設けられている。当該布地１９の開放端はたとえば取り付けられたボタンまたは保護衣服１の一部を用いて閉じられる。向かい合った脚に鞘状布地が取り付けられ、これにより動物７の背の高さにある両方の布地保護衣服１によって相互に接合されうる。
【００４５】
図１０および図１１の実施形態によれば、馬などの大型動物の脚部としての鞘状布地２４が実現されている。この種の布地は犬または猫などの小動物にも当然に利用されうる。鞘状布地２４は筒状のままで馬の脚２５を覆うのに必要な長さとされている。２つの部分２６および２７が中心または中心付近において裁断され、相互に開放された２つの部分２６および２７が設けられる。さらに開口２８が開設され、これにより馬の向かい合った足２９が通されうる。部分２６および２７の両端３０および３１は相互に重ね合わせられ馬の横側で基礎布地１により接合される。布地２４の下端３１は、装蹄に接着される基礎布地１の部分により、馬の足２５に接合される。部分２７はライン３３に沿って裁断され、足２９の向かい合った側に形成された半分の両側に設けられ、これにより端部３１および３２が相互に重ねられて接合される。また、部分２７が部分２６よりも長く形成されてもよい。全体的に鞘状布地２４は適当な全体長さであり、これにより一または他の部分２６または２７が必要な長さにわたって裁断される。
【００４６】
図１２に示されている本発明の実施形態によれば、スナップ要素１によって縁領域３，４において接合されている基礎布地８は、馬用の発汗毛布として適用され、この毛布はずれずに済む。
【００４７】
他の実施形態が図１３に示されている。鞘状布地３４が馬の足２５のふくらはぎに取り付けられている。当該布地３４の下端部は接着されたスナップ要素１によって接合されている。当該布地の上端部は同様にスナップ要素１によって接合され、馬の足２５において角状の突起となる。この布地３４はなくならないように保持され、傷を覆い、あるいは、傷を覆う包帯として機能する。
【００４８】
本発明において保護衣服はさらに応用されうる。本発明の前述の実施帰依地に限定されずにさらなる変形が考えられる。布地２，８または１５が完全に平らなまたは広告またはロゴが付される部分であってもよい。怪我などの示唆が記載されてもよい。
【産業上の利用可能性】
【００４９】
本発明の保護衣服は、動物の手術またはさまざまな傷の全治または発疹の除去などに有効である、
【符号の説明】
【００５０】
１‥スナップ要素、２‥部分、３‥縁領域、４‥縁領域、５‥スナップ要素の部材、６‥スナップ要素の部材、７‥動物胴体、８‥基礎部分、９‥スリット、１０‥開口、１１‥開口、１２‥開口、１３‥脚、１４‥尻尾、１５‥靴下状部分、１６‥縁領域、１７‥内面、１８‥内面、１９‥靴下状部分、２０‥縁飾、２１‥下部、２２‥上部、２３‥後縁飾領域、２４‥部分、２５‥足、２６‥領域、２７‥領域、２８‥開口、２９‥足、３０‥端部、３１‥端部、３２‥装蹄、３３‥ライン、３４‥部分
【図１】
2009545297.tif 000003
【図２】
2009545297.tif 000004
【図３】
2009545297.tif 000005
【図４】
2009545297.tif 000006
【図５】
2009545297.tif 000007
【図６】
2009545297.tif 000008
【図７】
2009545297.tif 000009
【図８】
2009545297.tif 000010
【図９】
2009545297.tif 000011
【図１０】
2009545297.tif 000012
【図１１】
2009545297.tif 000013
【図１２】
2009545297.tif 000014
【図１３】
2009545297.tif 000015
【手続補正書】
【提出日】平成21年1月30日(2009.1.30)
【手続補正１】
【補正対象書類名】明細書
【補正対象項目名】０００７
【補正方法】変更
【補正の内容】
【０００７】
スナップは相互に接合される布地または縁領域の内側に通常の方法で縫い付けられまたは取り付けられ、相互に直接的に連結する。本発明の一態様によれば、スナップ要素の両方の部材は、布地または縁領域の外側上面から近づけられてその布地を相互に収容する。これにより、スナップ要素の部材は、通常のように布地に固定されずに取り付けられる。スナップ要素の直接領域において、織物、生地または編物の切断または破損を伴わずに布地または縁領域の伸縮性は十分に抑制される。スナップ要素による接合は、部材によるその接合が自発的に解除されない点で優れている。
【手続補正２】
【補正対象書類名】特許請求の範囲
【補正対象項目名】全文
【補正方法】変更
【補正の内容】
【特許請求の範囲】
【請求項１】
柔軟性がある繊維織物、生地または編物により形成され、個々の布地または縁領域が同様の形態で相互に堅固でありながら解放可能に接合されている動物用の保護衣服であって、
前記織物、前記生地または前記編物の相互に接合される布地(2)(8)(15)または縁領域(3)(4)が重ね合わせて配置され、かつ、２つの部材からなるスナップ要素(1)により相互に接合され、中間に前記スナップ要素(1)の両方の部材(5)(6)の間に存在する、相互に重ね合わせられた前記相互に接合される布地(2)(8)(15)または前記縁領域(3)(4)が、前記スナップ要素(1)の相互留め部材(5)(6)の領域において前記スナップ要素(1)により破損されないように接合されていることを特徴とする保護衣服。
【請求項２】
請求項１記載の保護衣服において、
前記織物、前記生地または前記編物の前記相互に接合される布地(2)(8)(15)または前記縁領域(3)(4)が、十分な重ね合わせおよび前記保護衣服の継ぎ足しを保証するように相互に合わせて裁断されていることを特徴とする保護衣服。
【請求項３】
請求項１または２記載の保護衣服において、
動物の胴体に巻きつけられる基礎布地(8)が、スナップ要素(1)を介して２つの相互に付けられている縁領域(3)(4)に一緒に保持されていることを特徴とする保護衣服。
【請求項４】
請求項３記載の保護衣服において、
前記基礎布地(8)に、脚(13)、尻尾(14)またはペニスなどを通すためのスリット(9)または開口(10)(11)が開設されていることを特徴とする保護衣服。
【請求項５】
請求項４記載の保護衣服において、
動物(7)の前記脚(13)および前記尻尾(14)のうち一方または両方のための鞘状布地(15)が前記開口(10)(11)の周囲に取り付け可能とされ、前記基礎布地(8)の前記開口(10)(11)の境界縁領域にスナップ要素(1)により取り付けられることを特徴とする保護衣服。
【請求項６】
請求項５記載の保護衣服において、
前記鞘状布地(15)が平坦な布地から作られ、その対向する縁領域がスナップ要素(1)により相互に接合されていることを特徴とする保護衣服。
【請求項７】
請求項５記載の保護衣服において、
前記鞘状布地(15)がそれ自体一体的に作成され、前記基礎布地(8)の前記開口(10)(11)の境界縁領域にスナップ要素(1)により取り付けられていることを特徴とする保護衣服。
【請求項８】
請求項５〜７のうち１つに記載の保護衣服において、
前記鞘状布地(15)が円錐筒状に形成され、その両端部の直径が異なっていることを特徴とする保護衣服。
【請求項９】
請求項５〜７のうちいずれか１つに記載の保護衣服において、
前記鞘状布地(15)が円筒状に形成されていることを特徴とする保護衣服。
【請求項１０】
請求項１〜９のうち１つに記載の保護衣服において、
前記布地(2)(8)(15)の全部がすべての方向に柔軟性がある繊維織物、生地または編物により形成されていることを特徴とする保護衣服。
【請求項１１】
請求項１〜１０のうち１つに記載の保護衣服において、
前記布地(2)(8)(15)の全部または一部が織目無しの、すべての方向に柔軟性がある繊維織物、生地または編物により形成されていることを特徴とする保護衣服。
【請求項１２】
請求項１〜１１のうち１つに記載の保護衣服において、
前記スナップ要素(1)が合成樹脂により形成されていることを特徴とする保護衣服。
【請求項１３】
請求項１２記載の保護衣服において、
前記スナップ要素(1)が柔軟性の合成樹脂により形成されていることを特徴とする保護衣服。
【請求項１４】
請求項１〜１３のうち１つに記載の保護衣服において、
前記スナップ要素(1)の皿状の内面(17)(18)が接着剤で被覆加工され、あるいは、接着フィルムが取り付けられていることを特徴とする保護衣服。
【請求項１５】
請求項１４記載の保護衣服において、
前記スナップ要素(1)の皿状の内面(17)(18)に両面接着フィルムが取り付けられていることを特徴とする保護衣服。
【国際調査報告】
2009545297.tif 000016
2009545297.tif 000017
2009545297.tif 000018
2009545297.tif 000019